(57)【要約】      （修正有）【課題】車輪組の動態の平衡状態を自動的に検出でき、容易に車輪組の重量を調整できる自転車の車輪組の動態平衡校正及び重量調整装置を提供する。【解決手段】校正台、コンピュータ及びディスプレイを含み、校正台２０は、伝送線を利用し、コンピュータと接続し、校正台上のセンサ２４１，２４２，４４１，４４２が検出を行い、動態平衡データを取得し、コンピュータに伝送して演算を行った後、ディスプレイ上に重量付加必要部位及び重量を表示する。表示は、重量減少部位及び重量に変更することもでき、重量の減少は、旋削、ドリル、正面フライス、ハブ加工、リム重量の減少によって実現し、校正平衡手段は、リム中心測量器、リム真円度測量器、スポーク張力測量器を外付けし、又はこれらの検測器を組み合わせて、車輪組８０の動態平衡校正をより確実にする。【選択図】図２
0003189692.tif 000002
【実用新案登録請求の範囲】
【請求項１】
車輪組上のスポーク、ニップル、リム、内タイヤ、外タイヤ、チューブタイヤ、バルブ、ブレーキディスク、フライホイール、光反射シート等の部品を測定した動態平衡を、車輪組の動態平衡の校正作業を行うことに用いる自転車の車輪組の動態平衡校正及び重量調整の装置であって、
車輪組上に重量を付加又は重量を減少して重量調整をするために、校正台と、コンピュータと、ディスプレイからなり、該校正台は、伝送線を介してコンピュータを接続し、
前記校正台上の左右の両側辺にそれぞれ支持構造を設け、右側の支持構造の上端外側辺に移動固定機構及び貫通収容室を設け、右側の支持構造の上端内側辺に貫通収容室に接続するセンサ収容室を設け、
該貫通収容室内に回転軸固定ソケットとセンサ収容室とを設け、該センサ収容室にセンサＣを設け、該回転軸固定ソケットの中心箇所にスピンドル固定ヘッドを設け、該中心箇所の外側に第２駆動軸を被せ設け、
該第２駆動軸の中心箇所に通孔を設け、該第２駆動軸の外径に第２駆動アダプタを挿入設置し、該第２駆動軸の外径の外側辺に第２駆動ソケットヘッドを設け、該貫通収容室の内側辺で該第２駆動軸の外径に軸受を被せ設け、該第２駆動ソケットヘッドの外径箇所にセンサＤを被せ設け、
右側支持構造の上端内側辺に対応する左側支持構造に貫通収容室、センサ収容室を設け、貫通収容室の中心箇所に第１駆動軸を設け、センサ収容室内にセンサＡを設け、第１駆動軸中心箇所に通孔を設け、第１駆動アダプタを挿入設置し、第１駆動軸の内側辺に軸受を設け、第１駆動ヘッドソケットの外径箇所にセンサＢを設ける
ことを特徴とする自転車の車輪組の動態平衡校正及び重量調整装置。
【請求項２】
前記センサは、得られるデータを、伝送線を介してコンピュータに伝送して演算を行い、ディスプレイ上に重量付加部位及び重量を表示することを特徴する請求項１に記載の自転車の車輪組の動態平衡校正及び重量調整装置。
【請求項３】
前記センサは、得られるデータを、伝送線を利用し、コンピュータに伝送して演算を行い、ディスプレイ上に重量減少部位及び重量を表示することを特徴とする請求項１に記載の自転車の車輪組の動態平衡校正及び重量調整装置。
【請求項４】
前記重量調整は、重量付加シールを利用し、車輪組上のスポーク、ニップル、リム内側面、リム外側面、リム底側面に重量付加することを特徴とする請求項１に記載の自転車の車輪組の動態平衡校正及び重量調整装置。
【請求項５】
前記重量減少は、旋削、ドリル、正面フライス、ハブ加工等によって、リムの重量減少することができることを特徴とする請求項１に記載の自転車の車輪組の動態平衡校正及び重量調整装置。
【請求項６】
前記校正平衡手段は、リム中心測量器、リム真円度測量器、スポーク張力測量器を外付けし、又はこれらの検測器を組み合わせることができ、車輪組に動態の平衡校正をより確実にすることを特徴とする請求項１に記載の自転車の車輪組の動態平衡校正及び重量調整装置。
【考案の詳細な説明】
【技術分野】
【０００１】
本考案は、自転車における車輪部分を組立てた車輪組の動態平衡校正及び重量調整装置に関し、自転車の騎乗者が車輪組を実際に使用する状態を車輪組の動態平衡の校正作業を行うことに用いることができる自転車における車輪組の動態平衡校正及び重量調整装置に関する。
【背景技術】
【０００２】
一般の市場販売自転車の組立てた車輪である車輪組は、その製造完成後に校正する動態平衡がただホイール本体に限られ、組み合わせが完成した車輪内タイヤ、外タイヤを含まず、車輪組の動態平衡に影響を及ぼすパラメータが多く、例えば、ホイール自身の加工製造過程、内タイヤ、外タイヤ、チューブタイヤの質量の均一度、バルブの長短、ブレーキディスク、フライホイール、光反射シート等である。
【先行技術文献】
【特許文献】
【０００３】
【特許文献１】実用新案登録第３１３００６２号公報
【特許文献２】特開２００２−２８６０９７号公報
【考案の概要】
【考案が解決しようとする課題】
【０００４】
上述したように、自転車の車輪部分を組立てた車輪組の動態平衡は、ホイール本体だけではなく、多くのパラメータにより影響されるので、ホイール本体の動態が平衡していても、車輪組全体では不均衡となる場合も多く、組立てた車輪である車輪組の回転の重心が転動軸芯と重なり合うことができない場合には、この動態における不均衡によって車輪組が回転時に震動を発生し、外タイヤ及び地面の接触が発生する摩擦力が影響を受け、自転車のフレーム又はその部品に対し共振を発生し、部品の使用寿命を減少し、自転車の騎乗の安定性及び操作性に影響を及ぼし、騎乗者に不快感を発生させる。
【０００５】
本考案は、これらの不都合に鑑みてなされたもので、自転車の車輪組の動態の平衡状態を自動的に検出でき、容易に車輪組の重量(重り)を付加又は重量を減少させて重量調整することができる自転車の車輪組の動態平衡校正及び重量調整装置を提供するものである。
【課題を解決するための手段】
【０００６】
本考案者は、その使用上の欠陥を深く理解し、修正改良を加え、同時に求める精神理念に基づき、その長年の専門分野の経験及び多方面の試行錯誤、試験後にようやく本考案を成功させ、自転車の車輪組の動態平衡校正及び重量調整装置に想到した。
本考案は、自転車の騎乗者が車輪組を実際に使用する状態を車輪組の動態平衡の校正作業を行うこと可能であって、自転車の組立てた車輪である車輪組における動態の平衡校正及び重量調整装置を提供するものである。
【０００７】
本考案の特徴の１つは、自転車における車輪部分を組立てた車輪組上のスポーク、ニップル、リム、内タイヤ、外タイヤ、チューブタイヤ、バルブ、ブレーキディスク、フライホイール、光反射シート等の部品を測定した動態平衡を、車輪組の動態平衡の校正作業を行うことに用いる自転車の車輪組の動態平衡校正及び重量調整の装置であって、車輪組上に重量(重り)を付加又は重量を減少して重量調整をするために、校正台と、コンピュータと、ディスプレイからなり、該校正台は、伝送線を介してコンピュータを接続し、前記校正台上の左右の両側辺にそれぞれ支持構造を設け、右側の支持構造の上端外側辺に移動固定機構及び貫通収容室を設け、右側の支持構造の上端内側辺に貫通収容室に接続するセンサ収容室を設け、該貫通収容室内に回転軸固定ソケットとセンサ収容室とを設け、該センサ収容室にセンサＣを設け、該回転軸固定ソケットの中心箇所にスピンドル固定ヘッドを設け、該中心箇所の外側に第２駆動軸を被せ設け、該第２駆動軸の中心箇所に通孔を設け、該第２駆動軸の外径に第２駆動アダプタを挿入設置し、該第２駆動軸の外径の外側辺に第２駆動ソケットヘッドを設け、該貫通収容室の内側辺で該第２駆動軸の外径に軸受を被せ設け、該第２駆動ソケットヘッドの外径箇所にセンサＤを被せ設け、右側支持構造の上端内側辺に対応する左側支持構造に貫通収容室、センサ収容室を設け、貫通収容室の中心箇所に第１駆動軸を設け、センサ収容室内にセンサＡを設け、第１駆動軸中心箇所に通孔を設け、第１駆動アダプタを挿入設置し、第１駆動軸の内側辺に軸受を設け、第１駆動ヘッドソケットの外径箇所にセンサＢを設けることを特徴とする。
【０００８】
更に、本考案の特徴の１つは、上記の自転車の車輪組の動態平衡校正構造及び重量調整装置において、校正台が直立式或いは水平式校正台、コンピュータ及びディスプレイを含み、校正台上にセンサを設け、伝送線及びコンピュータの接続を利用し、自転車の騎乗者が車輪組を実際使用する状態を車輪組動態平衡の校正作業を行うことに用いるが、本考案の装置を以下のステップ１〜９の工程を順次実行する。
ステップ１．先ず車輪組を(直立式)校正台中央に安定して設置する。
ステップ２．(ねじ山調整式)スピンドル固定ヘッドの位置を調整する。
ステップ３．移動固定機構(クイックリリースレンチ)を調整し、(回転軸)固定ソケットに車輪組のハブ軸心を固定させる。
ステップ４．ねじ山調整式第１駆動ヘッドソケット及び第２駆動ヘッドソケットを調整し、(ねじ山調整式)駆動ヘッドに車輪組のハブパッキンを固定させる。
ステップ５．モータを起動し、第１駆動軸、第２駆動軸を連動させ、車輪組の回転を連動させる。
ステップ６．センサＡ，Ｂ，Ｃ，Ｄは、動態平衡データを検出取得し、コンピュータに伝送する。
ステップ７．コンピュータが演算を行い、ディスプレイ上に重量付加部位及び重量を表示する。
ステップ８．重量付加部位及び重量の表示に基づき、重量シールを利用し、車輪組上のスポーク、ニップル、リム内側面、リム外側面、リム底側面に貼付し、重量を増加する。
ステップ９．車輪組の動態平衡検証を行なって、左右が平衡すれば車輪組の作業を終了する。
【０００９】
また、上記ステップ１の校正台は、直立式校正台を水平式校正台とすることができ、ステップ２のねじ山調整式スピンドル固定ヘッド、シリンダ式スピンドル固定ヘッドであることができ、ステップ３のレンチ式固定ソケットがねじ山調整式固定ソケット、シリンダ式固定ソケットであることができ、ステップ４のねじ山調整式駆動ヘッドソケットは、シリンダ式駆動ヘッドソケットであることができ、ステップ５の駆動軸は、単辺又は双辺を利用し、駆動することができ、ステップ６のセンサは、単辺検出又は双辺検出であることができ、ステップ７の重量付加部位の表示は、重量減少部位及び重量を表示することができる。
【考案の効果】
【００１０】
本考案の自転車の車輪組の動態平衡校正及び重量調整装置によれば、自転車の騎乗者が車輪組を実際に使用する状態での車輪組の動態平衡の校正作業を行うことができるもので、自転車の車輪組の動態の平衡状態を自動的に検出でき、容易に車輪組の重量を付加又は重量を減少させて重量調整することができる。
特に、その校正平衡の手段は、リム中心測量器、リム真円度測量器、スポーク張力測量器を外付け、これらの検測器を組み合わせることによって、その程度を検出することができ、その検出結果に基づいて、車輪組上のスポーク、ニップル、リム内側面、リム外側面、リム底側面に重量を増加することができ、重量減少については旋削、ドリル、正面フライス、ハブ加工、リムの重量減少等によって実現することができ、このようにして車輪組に動態平衡校正結果をより確実にすることができる。
【図面の簡単な説明】
【００１１】
【図１】本考案の立体説明図である。
【図２】本考案の断面説明図である。
【図３】本考案の重量付加部位の重量付加シールの説明図である。
【図４】本考案の水平式校正台の説明図である。
【図５】本考案のソケット式スピンドル固定ヘッドの説明図である。
【図６】本考案のシリンダ式スピンドル固定ヘッドの説明図である。
【図７】本考案のねじ山調整式固定ソケットである。
【図８】本考案のシリンダ式固定ソケットである。
【図９】本考案のシリンダ式駆動ヘッドソケットである。
【図１０】本考案の測量ステップのフローチャートの図である。
【考案を実施するための形態】
【００１２】
本考案の自転車の組立てた車輪である車輪組の動態平衡校正及び重量調整装置の実施例を図１〜図１０の図面を沿って説明する。
図１に示すように、本考案の実施例の自転車の組立てた車輪である車輪組の動態平衡校正及び重量調整装置は、自転車の騎乗者が車輪組８０を実際に使用する状態、例えば、図３に示すように、車輪組８０上のスポーク８１、ニップル８２、リム８３、内タイヤ、外タイヤ、チューブタイヤ、バルブ、ブレーキディスク、フライホイール、光反射シート等の部品の動態平衡を、車輪組８０の動態平衡の校正作業を行うことに用い、車輪組８０上に重量を付加又は重量を減少させて重量調整する。
【００１３】
前記車輪組８０の動態平衡の校正作業を行う装置の全体構造は、図１に示すように、直立式校正台２０と、コンピュータ７０と、ディスプレイ７１とを含み、直立式校正台２０は、伝送線７３を介してコンピュータの接続するが、図２に示すように、直立式校正台２０上の両側辺の左右にそれぞれ支持構造を設けられている。
左右の支持構造のうち右側の右側支持構造２１は、上端の外側辺に移動固定機構であるクイックリリースレンチ２２及び貫通収容室２３を設け、右側支持構造２１の上端内側辺に貫通収容室２３に接続するセンサ収容室２４を設け、センサ収容室２４内にセンサＣ２４１を設け、貫通収容室２３内に回転軸固定ソケット２５を設け、回転軸固定ソケット２５中心箇所にねじ山調整式スピンドル固定ヘッド２６を設け、回転軸固定ソケット２５中心外側に第２駆動軸２７を被せ設け、第２駆動軸２７中心箇所に通孔２８を設け、第２駆動アダプタ２９を挿入設置する。
該第２駆動軸２７の外径の一方の側に第２駆動ソケットヘッド３０を設け、該第２駆動ソケットヘッド３０の外径箇所には第２駆動アダプタ２９を介してセンサＤ２４２を設け、第２駆動軸２７の外径の適所に軸受２５１を被せ設け、この軸受２５１は回転軸固定ソケット２５の収容室の内径壁面と緊迫して組み合わされている。
【００１４】
前記左右の支持構造のうち左側の左側支持構造４１は、上端の内側辺に右側支持構造２１と対応するように貫通収容室４３、センサ収容室４４を設け、センサ収容室４４内にセンサＡ４４１を設け、貫通収容室４３中心箇所に第１駆動軸４７を設け、該第１駆動軸４７中心箇所に通孔４８を設け、第１駆動アダプタ４９を挿入設置し、第１駆動軸４７外径一側辺に第１駆動ソケットヘッド５０を設け、第１駆動ヘッドソケット５０外径箇所にセンサＢ４４２を設け、第１駆動軸４７の内径の適所に軸受４７１，及び外径の適所に４７２を被せ設ける。
【００１５】
該第１駆動軸４７の外径箇所の軸受４７２は、貫通収容室４３の内径壁面と緊迫して組み合わさり、上記のセンサ２４１，２４２，４４１，４４２は、センサ収容室４４内に設けられ、非回転で固定されているが、得られるデータを、伝送線７３を介してコンピュータ７０に伝送し、演算を行い、ディスプレイ７１上に重量付加部位及び重量を表示するか、重量減少部位及び重量を選択表示し、これにより、本考案の自転車の車輪組の動態平衡校正及び重量調整装置を完成する。
第１駆動軸及び第２駆動軸は左右の右側支持構造２１、左側支持構造４１から軸受けによって支持されているので、もし、自転車の車輪組の動態に不均衡があれば、右側支持構造２１での加重を検知するセンサC:２４１とセンサD:２４２の値がずれ、同様に、左側支持構造４１での加重を検知するセンサA.:４４１とセンサB:４４２の値がずれて、そのことがディスプレイ７１上に表示され、重量を付加(増加)すべき部位が表示、及び、重量を減少すべき部位が表示させ、これに基づいて車輪組の不均衡を校正する作業を行う。
実際には、図３での車輪組８０上のスポーク８１、ニップル８２、リム８３、内タイヤ、外タイヤ、チューブタイヤ、バルブ、ブレーキディスク、フライホイール、光反射シート等の部品の動態が平衡になるように、車輪組８０上に重量を付加又は重量を減少させて重量調整を行い、車輪組８０の動態平衡の校正作業を行い、車輪組の動態を平衡させて終了する。
【００１６】
これを図１０の本考案の測量ステップのフローチャートの図で説明する。
図１０に示すように、自転車の車輪組の動態平衡校正構造及び重量調整装置での測量ステップは、以下の通りであり、以下のステップ１〜９のステップを順次実行する。
ステップ１．先ず車輪組８０を直立式校正台２０中央に安定して設置する。
ステップ２．ねじ山調整式スピンドル固定ヘッド２６の位置を調整する。
ステップ３．クイックリリースレンチ２２を調整し、回転軸固定ソケット２５に車輪組８０のハブ軸心を固定させる。
ステップ４．ねじ山調整式第１駆動ヘッドソケット５０及び第２駆動ヘッドソケット３０を調整し、ねじ山調整式駆動ヘッドに車輪組８０のハブパッキンを固定させる。
ステップ５．モータを起動し、第１駆動軸４７、第２駆動軸２７を連動させ、車輪組８０の回転を連動させる。
ステップ６．センサＡ４４１，Ｂ４４２，Ｃ２４１，Ｄ２４２は、動態平衡データを検出取得し、コンピュータ７０に伝送する。
ステップ７．コンピュータ７０が演算を行い、ディスプレイ７１上に重量付加部位及び重量を表示する。
ステップ８．重量付加部位及び重量の表示に基づき、重量付加シール８７を利用し、車輪組８０上のスポーク８１、ニップル８２、リム内側面８４、リム外側面８５、リム底側面８６に貼付し、重量を増加する。
ステップ９．車輪組８０の動態平衡検証を行う。その結果、左右が平衡すれば作業を終了する。
【００１７】
上記ステップ１の直立式校正台２０は、図４に示すような、水平式校正台２０１であることができ、ステップ２のねじ山調整式スピンドル固定ヘッド２６は、図５に示すような、ソケット式スピンドル固定ヘッド２６１、図６に示すような、シリンダ式スピンドル固定ヘッド２６２であることができ、図７に示すような、ステップ３のクイックリリースレンチ２２がねじ山調整式固定ソケット２２１、図８に示すような、シリンダ式固定ソケット２２２であることができ、ステップ４のねじ山調整式第１駆動ヘッドソケット５０及び第２駆動ヘッドソケット３０は、図９に示すような、シリンダ式駆動ヘッドソケット３０１であることができ、ステップ５の第1駆動軸４７、第２駆動軸２７は、単辺又は双辺を利用し、駆動することができる。
【００１８】
また、ステップ６のセンサＡ４４１，Ｂ４４２，Ｃ２４１，Ｄ２４２は、単独の単辺検出又は、一対の双辺検出であることができ、ステップ７の重量付加部位の表示は、重量減少部位及び重量を表示し、重量の増加(付加)は、重量付加シール８７を利用し、車輪組８０上のスポーク８１、ニップル８２、リム内側面８４、リム外側面８５、リム底側面８６に重量増加し、重量減少は、旋削、ドリル、正面フライス、ハブ加工、リムの重量減少等で実現することができ、その校正平衡システムは、リム中心測量器（図示せず）、リム真円度測量器（図示せず）、スポーク張力測量器（図示せず）を外付けし、検測を組み合わせることができ、車輪組に動態平衡校正結果をより確実にする。
なお、本考案の特徴を損なうものでなければ、上述した各実施例に限定させるものではないことは勿論である。
【符号の説明】
【００１９】
２０  直立式校正台
２０１  水平式校正台
２１  右側支持構造
２２  クイックリリースレンチ
２２１  ねじ山調整式固定ソケット
２２２  シリンダ式固定ソケット
２３  貫通収容室
２４  センサ収容室
２４１  センサＣ
２４２  センサＤ
２５  回転軸固定ソケット
２５１  軸受
２６  ねじ山調整式スピンドル固定ヘッド
２６１  ソケット式スピンドル固定ヘッド
２６２  シリンダ式スピンドル固定ヘッド
２７  第２駆動軸
２８  通孔
２９  第２駆動アダプタ
３０  第２駆動ソケットヘッド
３０１  シリンダ式駆動ヘッドソケット
４１  左側支持構造
４３  貫通収容室
４４  センサ収容室
４４１  センサＡ
４４２  センサＢ
４７  第１駆動軸
４７１  軸受
４７２  軸受
４８  通孔
４９  第１駆動アダプタ
５０  第１駆動ソケットヘッド
７０  コンピュータ
７１  ディスプレイ
７３  伝送線
８０  車輪組
８１  スポーク
８２  ニップル
８３  リム
８４  リム内側面
８５  リム外側面
８６  リム底側面
８７  重量付加シール
【図１】
0003189692.tif 000003
【図２】
0003189692.tif 000004
【図３】
0003189692.tif 000005
【図４】
0003189692.tif 000006
【図５】
0003189692.tif 000007
【図６】
0003189692.tif 000008
【図７】
0003189692.tif 000009
【図８】
0003189692.tif 000010
【図９】
0003189692.tif 000011
【図１０】
0003189692.tif 000012